(57)【要約】【課題】  首回りの延び幅を長くとることができるうえ、襟元の打合わせ部分の見栄えのよいシャツが求められている。【解決手段】  シャツ１は、右前身頃３と、着用時に右前身頃３の上側に打合わせられる左前身頃２の襟元５の端部５ａに、右前身頃３の襟元５に向かって延びる帯布体６を設け、当該帯布体６の内側面に第１面ファスナ７を固着し、右前身頃３の襟元５の外側面であって襟４で隠蔽される位置に、第１面ファスナ７と係脱可能に係合する第２面ファスナ８を固着し、第1面ファスナ７と第２面ファスナ８を係合することにより右前身頃３の襟元と左前身頃２の襟元を打合わせた状態で留める構成にしてある。【選択図】      図１
2005089906.tif 000002
【特許請求の範囲】
【請求項１】
左前身頃と右前身頃のうち、着用時に一方の前身頃の上側に打合わせられる他方の前身頃の襟元に、前記一方の前身頃の襟元に向かって延びる帯布体を設け、当該帯布体の内側面に第１面ファスナを固着し、前記一方の前身頃の襟元の外側面であって襟で隠蔽される位置に、第１面ファスナと係脱可能に係合する第２面ファスナを固着し、第1面ファスナと第２面ファスナを係合することにより一方の前身頃の襟元と他方の前身頃の襟元を打合わせた状態で留めるようにしたことを特徴とするシャツ。
【請求項２】
帯布体を、上側に打合わされる他方の前身頃の襟元とは別個独立に構成し、当該別個独立の帯布体を前記他方の前身頃の襟元に固着した請求項１に記載のシャツ。
【発明の詳細な説明】
【技術分野】
【０００１】
本発明は、例えばワイシャツ、カッターシャツ、カジュアルシャツ、ブラウスなどのように襟元を打合わせて留めるシャツに関するものである。
【背景技術】
【０００２】
従来汎用のシャツ（例えば、ワイシャツ）を図７に示す。図示のシャツ５１は、右前身頃３と、着用時に右前身頃３の上側に打合わせられる左前身頃２と、背中側の後身頃（符号付け省略）とを備えている。右前身頃３、後身頃、および左前身頃２のそれぞれの上端は、連続した襟元１５となっており、この襟元１５の上端に襟４が縫着されている。右前身頃３の打合わせ部３ａには上下方向に間隔をおいて複数のボタンＢ１，Ｂ２，・・・が縫い付けられている。左前身頃２の打合わせ部２ａにおいて前記のボタンＢ１，Ｂ２，・・・と対応する位置にはそれぞれボタン穴１７，１７、・・・が形成されている。
【０００３】
かかるシャツ５１においては、最上位のボタンＢ１をボタン穴１７に留めることにより、左前身頃２側の襟元１５の端部１５ａと右前身頃３側の襟元１５の端部１５ｂとが打合わせられた状態で留められる。ところが、最上位のボタンＢ１は着用の際に顎の直下に位置するためボタン穴１７に掛けにくく、ボタンＢ１がボタン穴１７に掛止されたときの首回り寸法は一定である。そのため、首回り寸法が着用者の首に合わない場合は、そのまま我慢して着用したり、あるいはボタンＢ１を留めずに襟４を開いたまま着用していた。このように、ボタンＢ１を外したままにすると、ネクタイ９を弛めたときに襟元が広がってだらしない印象を与える。一方で、ボタンＢ１の存在は喉元への圧迫感をもたらしていた。
【０００４】
そこで、右前身頃３の端部１５ｂの外側面にボタンＢ１に替えて第１面ファスナを固着するとともに、左前身頃２の端部１５ａの内側面にボタン穴１７に替えて第１面ファスナと係脱可能に係合する第２面ファスナを固着したシャツが、例えば下記の特許文献１、特許文献２などに開示されている。
【特許文献１】実開平７−２４０３号公報
【０００５】
【特許文献２】実開平６−６５４０３号公報
【発明の開示】
【発明が解決しようとする課題】
【０００６】
しかしながら、上記各文献開示のシャツは、左前身頃２側の端部１５ａと右前身頃３側の端部１５ｂを重ねた打合わせ部分に面ファスナの厚みが生じて、当該部分の見栄えがスッキリしない。また、第２面ファスナを第１面ファスナから外して襟４を開いたときに、元来の第１ボタンの位置に第１面ファスナが露出して目立ち安物感を呈する。そのうえ、左前身頃２側の端部１５ａと右前身頃３側の端部１５ｂはいずれも狭いので、小さな面積の面ファスナしか取り付けられない。そのため、首回りの延び幅を長くとれず、ゆったりと楽に着用することができなかったのである。
【０００７】
本発明は、上記した従来の問題点に鑑みてなされたものであって、首回りの延び幅を長くとることができるうえ、襟元の打合わせ部分の見栄えのよいシャツを提供することを目的とする。
【課題を解決するための手段】
【０００８】
上記目的を達成するために、本発明に係るシャツは、左前身頃と右前身頃のうち、着用時に一方の前身頃の上側に打合わせられる他方の前身頃の襟元に、前記一方の前身頃の襟元に向かって延びる帯布体を設け、当該帯布体の内側面に第１面ファスナを固着し、前記一方の前身頃の襟元の外側面であって襟で隠蔽される位置に、第１面ファスナと係脱可能に係合する第２面ファスナを固着し、第1面ファスナと第２面ファスナを係合することにより一方の前身頃の襟元と他方の前身頃の襟元を打合わせた状態で留める構成にしてある。
【０００９】
また、前記構成において、帯布体を、上側に打合わされる他方の前身頃の襟元とは別個独立に構成し、当該別個独立の帯布体を前記他方の前身頃の襟元に固着したものである。
【発明の効果】
【００１０】
本発明に係るシャツによれば、首回りに沿って長い寸法を確保し得る襟元に第２面ファスナが固着されるので、長尺の第２面ファスナを使用することができる。また、帯布体およびこれに用いる第１面ファスナも長尺ものを使用し得る。従って、首回りの延び幅を大きくとることができ、首回り寸法を広く調整してゆったりと着用することができる。加えて、第２面ファスナは襟で隠蔽されていて周囲から見えないので美観を損ねることがない。そして、襟元の打合わせ部分には従来技術のような面ファスナが存在しないので、当該打合わせ部分は厚みが小さくスッキリして見栄えがよく、ネクタイを締めたときに美しい。また、喉元への圧迫感も解消される。
【００１１】
そして、襟元とは別個独立に構成した帯布体を、上側に打合わされる前身頃の襟元に固着する場合は、一般汎用のシャツを転用して本発明のシャツを製作することができる。その際に元々のボタン穴を覆い隠すように帯布体を取り付ければ、よりいっそうスッキリした外観が得られる。
【発明を実施するための最良の形態】
【００１２】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係るシャツを示す正面図、図２は前記シャツの要部を示す部分外観図である。但し、図７に示した従来のシャツ５１と同一の構成要素には、同一の符号を付すとともにその詳細な説明を省略することがある。
各図において、この実施形態に係るシャツ１は、右前身頃３（一方の前身頃の例）と、着用時に右前身頃３の上側に打合わせられる左前身頃２（他方の前身頃の例）と、背中側の後身頃（符号付け省略）とを備えている。右前身頃３、後身頃、および左前身頃２のそれぞれの上端は、連続した襟元５となっており、この襟元５の上端に襟４が縫着されている。右前身頃３の打合わせ部３ａには上下方向に間隔をおいて複数のボタンＢ２，Ｂ３，・・・が縫い付けられている。これらのボタンＢ２，Ｂ３，・・・と対応する位置の左前身頃２の打合わせ部２ａにはそれぞれボタン穴１７，１７，・・・が形成されている。
【００１３】
そして、左前身頃２の打合わせ部２ａの上方に位置する襟元５の端部５ａには、右前身頃３側の襟元５の端部５ｂに向かって延びる帯布体６が設けられている。襟元５の端部５ｂは右前身頃３の打合わせ部３ａの上方に位置している。帯布体６は例えば巾が３ｃｍ、長さが５ｃｍであり、この例では襟元５と一体に同じ生地で形成されている。帯布体６の内側面には、例えば多数のファスナ雌材を有する第１面ファスナ７（長さＬ１が約３ｃｍ）が縫い付けにより固着されている。右前身頃３側の襟元５の外側面には、前記した第１面ファスナ７のファスナ雌材と係脱可能に係合する、例えば多数のファスナ雄材を有する第２面ファスナ８（長さＬ２が約３ｃｍ）が縫い付けにより固着されている。この第２面ファスナ８は、襟元５の上端で折り返された襟４により隠蔽されて周りからはほとんど見えない位置に配置されている。
【００１４】
上記した構成のシャツ１を着用する際は、打合わせ部３ａのボタンＢ２，Ｂ３，・・・が、対面する打合わせ部２ａのボタン穴１７，１７，・・・に順次留められる。次に、帯布体６の先端が首の前から端部５ｂ側の襟元５前方へ持ってこられ、帯布体６の第1面ファスナ７が第２面ファスナ８に係合される。これにより、図３に示すように、左前身頃２側の端部５ａと右前身頃３側の端部５ｂは打合わされた状態で帯布体６を介して留められる。端部５ａと端部５ｂの打合わせ部分は、２つの布材が重なっているだけであって、従来技術のようにこれらの間に存在する面ファスナの厚みがないため、シルエットがスッキリとし喉元への圧迫感も与えない。ネクタイ９を締めたときに、ネクタイ９の結び目９ａの後方からのぞく帯布体６のラインが横一線にシンプルで美しい。また、帯布体６および第１面ファスナ７は長尺に形成できるので、矢印Ｓ方向の延び幅を大きくとることができる。無論、第２面ファスナ８も襟元５に沿わせて長尺に形成でき、しかも周囲から見えることなく美観を損なわない。従って、首が太ってきたときや暑いときなどに、首回りを大きくすることができて、快適に着用し得るのである。
【００１５】
上記したように、襟元５の端部５ｂと打合わされる帯布体６の正面位置は従来汎用技術のようなボタン（図７における最上位のボタンＢ１）がないため、平たんでスッキリとしている。しかしながら、人によっては、前記のような態様を物足りなく感じる着用者もいる。その場合は、図４に示すように、帯布体６の正面部分を標章１０の表示領域とするのがよい。かかる標章１０としては、例えばスポーツ関連（野球チーム、サッカーチームなど）マーク、愛玩動物、人気キャラクター、社章、イニシャル、その他が挙げられる。標章１０の構成態様としては、帯布体６に対し、印刷されたプリント、縫い付けられた刺繍、貼り付けられたシールなどが挙げられる。図４の例では、某プロ野球球団のマスコットマークに似た標章１０が帯布体６にプリントされている。
このように帯布体６の正面部分に付された標章１０は、ネクタイ９を締めたとき結び目９ａの後ろに隠れており、着用者の業務に支障を与えない。一方、ネクタイ９を外したり結び目９ａを弛めたりしたときに、標章１０が現われて看者に趣きや遊び心を感じさせる。
【００１６】
尚、上記の実施形態では、左前身頃２側の襟元５と一体に設けた帯布体６の例を示したが、本発明のシャツはそれに限定されるものでない。例えば、図５および図６に示すように、左前身頃２側の襟元１５とは別個独立に構成された帯布体１６を、その襟元１５に固着して成るシャツ１ａも本発明に含まれる。
ここでは、襟元１５の一方の端部１５ａにボタン穴１７が形成されており、他方の端部１５ｂにボタンＢ１が縫着された一般市販のシャツが使用される。まず、襟元１５の端部１５ｂからボタンＢ１が取り外される。また、当該端部１５ｂ側であって襟４により隠蔽されて周りからはほとんど見えない位置の襟元１５の外側面に、第２面ファスナ８が取り付けられる。そして、内側面に第１面ファスナ７を有する帯布体１６が襟元１５の端部１５ａに縫着（縫目１８）される。この場合、最上位のボタン穴１７を覆い隠すように帯布体１６が配置される。すなわち、このシャツ１ａは一般汎用のシャツを転用して簡便に製作することができる。また、元からある最上位のボタン穴１７が帯布体１６で覆い隠されるので、よりいっそうスッキリした外観が得られる。尚、帯布体１６は前記のような縫着によらず、例えば布用の化学接着剤もしくは熱溶着性接着剤を用いて左前身頃２側の襟元１５に固着してもよい。
【００１７】
また、上記では、着用時に上側に打合わされる前身頃を左前身頃とし、下側に打合わされる前身頃を右前身頃とするシャツを例示したが、それとは逆に左前身頃を下側（一方）とし、右前身頃を上側（他方）にして打合わせるシャツであっても、本発明は適用可能である。また、上記とは逆に、第１面ファスナ７としてファスナ雄材を有するものを用い、第２面ファスナ８としてファスナ雌材を有するものを用いても構わない。そして、本発明は、ワイシャツに限らず、カッターシャツ、カジュアルシャツ、あるいはブラウスなどにも適用される。
【図面の簡単な説明】
【００１８】
【図１】本発明の一実施形態に係るシャツを示す正面図である。
【図２】前記シャツの要部を示す部分外観図である。
【図３】前記シャツの使用状態を示す説明図である。
【図４】本発明の別の実施形態に係るシャツの使用状態を示す説明図である。
【図５】本発明の他の実施形態に係るシャツを示す分解組立図である。
【図６】前記他のシャツの要部を示す部分外観図である。
【図７】従来のシャツを示す正面図である。
【符号の説明】
【００１９】
１,１ａ  シャツ
２    左前身頃
２ａ，３ａ  打合わせ部
３    右前身頃
４    襟
５，１５  襟元
５ａ，５ｂ，１５ａ，１５ｂ  端部
６，１６  帯布体
７    第１面ファスナ
８    第２面ファスナ
１８  縫目
【図１】
2005089906.tif 000003
【図２】
2005089906.tif 000004
【図３】
2005089906.tif 000005
【図４】
2005089906.tif 000006
【図５】
2005089906.tif 000007
【図６】
2005089906.tif 000008
【図７】
2005089906.tif 000009